(57)【要約】【課題】この発明は電気コネクターで容易に分岐を取る為に発明された分岐用コネクターである【解決手段】電線（１）からの電流をオス端子（２）からこれに接続されたメスの分岐用端子（３）を介してオスの分岐端子（４）に流しこのオスの分岐端子で分流し、複数のメス端子（５）〜（７）へさらに電線（８）〜（１０）へと流すものである。【選択図】　　　図１
2004014495.tif 000002
【特許請求の範囲】
【請求項１】
（イ）オスの分岐用端子（４）とメスの分岐用端子（３）とを組合せる
（ロ）メスの分岐用端子（３）に電線（１）を接続（圧着又は半田付）したオス端子（２）を挿入する
（ハ）オスの分岐端子（４）に電線（８）〜（１０）を接続したメス端子（５）〜（７）を挿入する
以上の如く構成された分岐コネクター
【発明の詳細な説明】
この発明はコネクターで電気配線の分岐を取る為の物である
（本説明で使用する図面は分かり易くする為、絶縁物であるハウジングは除きコネクターは接続する前、つまり抜いている状態で描かれている）
この発明は（図１）の電線（１）の電流を、電線（８）〜（１０）またそれ以上の複数の電線に分流（分岐）する為の分岐用コネクターである
（図１）の電線（１）の電流はオス端子（２）を通りメスの分岐端子（３）の一方に流れ、同端子のもう一方からオスの分岐端子（４）へと流れる、このオスの分岐端子（４）は複数のオス端子からなりこれにより分流（分岐）された電流はこれらの端子に各々接続されるメス端子（５）〜（７）へとさらにこれらに接続された電線（８）〜（１０）へと分流される。
（図１）の分岐コネクターの特長はオス端子からメス端子へ電流を分流（分岐）出来る事で、ポイントは複数のオス端子を持つオスの分岐端子（４）とメス端子同士を対にしたメスの分岐端子（３）とを組合せた点である。
本分岐コネクターはそれのみでの使用する外に、一般のコネクター（図２）の電線（１７）〜（１９）を接続したオス端子（２０）〜（２２）と電線（２６）〜（２８）を接続したメス端子（２３）〜（２５）と組み合わせて、複合コネクターとして使用する。
例えば一般のコネクターに信号用電流を流し分岐コネクターはグランド又は電源用として使う、センサー用コネクター等に最適である。
実際の使用は（図３）の絶縁物で有るハウジングに挿入して使用する。
【図面の簡単な説明】
【図１】本発明、分岐コネクターの斜視図
【符号の説明】
（１）（８）（９）（１０）（１１）（１２）（１３）（２０）（２１）（２２）は電線
（２）（１４）（１５）（１６）はオス端子
（３）はメスの分岐用端子
（４）はオスの分岐用端子
（５）（６）（７）（１７）（１８）（１９）はメス端子
（２３）はハウジング
【図１】
2004014495.tif 000003
【図２】
2004014495.tif 000004
【図３】
2004014495.tif 000005
【手続補正書】
【提出日】平成14年8月28日(2002.8.28)
【手続補正２】
【補正対象書類名】明細書
【補正対象項目名】図面の簡単な説明
【補正方法】変更
【補正の内容】
【特許請求の範囲】
【請求項１】（イ）オスの分岐用端子（４）の一方にメスの分岐用端子（３）の一方を組合せ接続する、組合せ方はコネクターとして抜き差しが出来ても出来ない固定式のどちらでも可
（ロ）メスの分岐用端子（３）の片方に電線（１）を接続（圧着又は半田付）したオス端子（２）を挿入する
（ハ）オスの分岐端子（４）の残りの端子に電線（８）〜（１０）を接続したメス端子（５）〜（７）を各々挿入する
以上の如く構成された分岐コネクター
本説明では分岐本数は３本であるが実際の分岐本数は２本から無限本数まで
可能である、またオス、メスが逆でも同様の効果が得られる。
【発明の詳細な説明】
本発明はコネクターで電気配線の分岐を取る為の物である。
本説明で使用する図中（図１）（図２）は分かり易くする為、絶縁物であるハウジングは除き、オス、メスの端子類は接続する前、つまり抜いている状態で表している、（図３）はこれらを実際に使用する形態、つまり端子類をハウジ
ングに挿入した図として表している。
この発明は（図１）の電線（１）の電流を、電線（８）〜（１０）の３本の電線に分流（分岐）する為の分岐用コネクターである
（本図では電線（１）の電流を電線（８）〜（１０）の３本に分流（分岐）で表しているが実際には、２本から無限本数まで可能である）
（図１）の電線（１）の電流はオス端子（２）を通りメスの分岐端子（３）の一方（Ａ）に流れ、同端子のもう一方（Ｂ）からオスの分岐端子（４）の（Ｃ）へと流れる、このオスの分岐端子（４）の電流は他のオス端子（Ｄ）〜（Ｆ）へ分流（分岐）されこれら端子に各々接続されるメス端子（５）〜（７）へと流れ、さらにこれらに接続された電線（８）〜（１０）へと分流（分岐）さ　れる。
（図１）の分岐コネクターの特長は従来のコネクターでは困難であった１本の電線（１）から３本の電線（８）〜（１０）またそれ以上の複数の電線へ電流
を分流（分岐）出来る点である。
本発明のポイントは複数のオス端子を持つオスの分岐端子（４）と、２対のメス端子からなるメスの分岐端子（３）とを組合せる事で得られる点である、これはオス、メス逆の複数のメスの分岐端子と２対のオスの分岐端子との組合せ
でも同様の効果が得られる。
本分岐コネクターはそれのみで使用する外に、一般のコネクターと組合せて複合コネクターとして使用する事でより多くの複雑な回路における省配線が可能となる、これを（図２）（図３）を用いて説明する。（図３）は（図２）を実
使用形態の絶縁物であるハウジングに挿入した状態である
（図２）は（図１）の分岐コネクターと電線（１１）〜（１３）を接続したオス端子（１４）〜（１６）と電線（２０）〜（２２）を接続したメス端子（１７）〜（１９）から成る一般のコネクターとを組合せた複合コネクターである
。
一般のコネクターのオス側電線（１１）〜（１３）、メス側電線（２０）〜（２２）の各々には個別の電流（例えば信号用電流）を流し、分岐コネクターのオス側電線（１）、メス側電線（８）〜（１０）には共通電流（例えばグラン
ド又は電源用）を流す。
これにより本来なら必要になるメス側電線（８）〜（１０）の相手側に当たる電線を同数の３本省略する事が出来る、これは回路数が増えれば増える程省略
できる本数が増える事からメリットが大きくなる。
使用例としてはセンサーやランプ等の接続用途が上げられる。
実際の使用は（図３）の様にオス端子（２）と（１４）〜（１６）及びオス分岐端子（４）は、ハウジング（２３）に挿入絶縁されて、メス分岐端子（３）はハウジング（２４）に、メス端子（５）（１７）はハウジング（２５）に、同（６）（１８）は（２６）に、同（７）（１９）は（２７）に挿入絶縁した後、オス側ハウジング（２３）にメス側ハウジング（２４）と（２５）〜（２　７）を各々勘合接続して使用する。
またオス分岐端子（４）及びこれに組み合せるメス端子類を２組、３組と増やしてより複合型にする事でさらに複雑な回路構成がそして省配線が可能と成る
。
【図面の簡単な説明】
【図１】本発明、分岐コネクターの斜視図（ハウジングは除く）
【図２】本発明、分岐コネクターと一般のコネクターとを組合せた複合コネクターの斜視図、但しメス分岐端子（３）は（図１）では横置きで表しているが本図では立置きで表している（ハウジングは除く）
【図３】本発明の分岐コネクターと一般のコネクターとを組合せて実際に使用する実使用形態である端子類をハウジングに挿入した斜視図
【符号の説明】
（１）（８）（９）（１０）（１１）（１２）（１３）（２０）（２１）（２２）は電線
（２）（１４）（１５）（１６）はオス端子
（３）はメスの分岐用端子
（４）はオスの分岐用端子
（５）（６）（７）（１７）（１８）（１９）はメス端子
（２３）はオス端子側のハウジング
（２４）はメス分岐端子側のハウジング
（２５）（２６）（２７）はメス端子側のハウジング
【図面】
【図−１】
2004014495.tif 000006
【図−２】
2004014495.tif 000007
【図−３】
2004014495.tif 000008